(57)【要約】      （修正有）【課題】摩滅が著しい前側掘削刃を監視しながら、任意の時間に短時間で掘削刃交換作業を終えることができるとともに、短時間での掘削刃交換を可能とする掘削刃交換構造を提供する。【解決手段】バケット本体Ｘ底面の前側掘削刃１１と後側掘削刃において、使用頻度が高く、摩滅の著しい掘削刃を油圧ショベルとの接続プレート部３０のボルト締付けにより脱着する。前側掘削刃と後側掘削刃は複数のボルトによる固定方法を採り、短時間での掘削刃交換を可能とする。【選択図】図３
0003229034.tif 000002
【実用新案登録請求の範囲】
【請求項１】
法面造成作業用バケットの底面掘削刃の前後端部に、それぞれ前側掘削刃と後側掘削刃とを有するが、バケット本体に設けた掘削刃支持部と前後掘削刃の簡便なボルト締付け構造により、前側掘削刃と後側掘削刃替刃の脱着更新に際し、速く確実な取り付けを可能とする構造。
【考案の詳細な説明】
【考案の詳細な説明】
【技術分野】
【０００１】本考案は、油圧ショベルのブームの先端部に取付けられて、法面造成作業の掘削工程に使用される法面造成作業用バケットの、掘削刃交換構造に関するものである。
【背景技術】
【０００２】従来、法面造成用バケットには、土砂の掘削を目的として、前後に掘削刃を備え、法面が形成される斜面を下方から削り上げたり、その逆に法面を上方から削り下げたりするほか、関連する作業工程として法面を押し固める作業等がある。【０００３】また、情報技術並びにＧＰＳの使用による位置情報を基に、道路等の法面の掘削を事前に入力し、そのプログラム命令に沿って、法面造成を行います。【０００４】しかし、法面造成用バケットの前後に備える掘削刃は、斜面の土砂が様々な条件下にあり、過酷な条件で使用されるため掘削刃摩滅が早く、情報技術並びにＧＰＳの使用に際して、前側掘削刃及び後側掘削刃部分の摩滅は位置情報の誤差を生む結果となり、掘削刃摩滅による前側掘削刃及び後側掘削刃部分の更新が頻回に行われ、法面の造成作業効率に影響がでてきている。
【考案の開示】
【考案が解決しようとする課題】
【０００５】法面造成作業に際し、前述の課題を解決するため、種々の提案がなされているが、例えば、実用新案登録３１０６２７６号の法面造成作業用バケットの前側掘削刃の替刃構造が、多目的な法面造成作業を目的として汎用されているが、バケットの前側に備える掘削刃をボルトによる脱着を容易とする構造へ転換してきているが、前側掘削刃と同様、後側掘削刃の摩滅は著しく、後側掘削刃の交換時、新たに掘削刃装着のための溶接作業により、法面造成作業工程に大きな支障をきたすなど欠点となってきた。
【課題を解決するための手段】
【０００６】前記課題を解決するため、本考案に係る技術的手段として、バケット本体底面の前側掘削刃と後側掘削刃において、使用頻度が高く、摩滅の著しい掘削刃をボルト締付けにより脱着を可能とする方法を特徴とする。【０００７】また、前側掘削刃と後側掘削刃は複数のボルトによる固定方法を採り、短時間での掘削刃交換を可能とする事を特徴とする。
【考案の効果】
【０００８】本考案によると、法面作業用バケットの前側掘削刃は斜面を削る作業等で、斜面に対して上から土砂を削り取ったり、削られた土砂を集める作業により、前側掘削刃の摩滅が著しい、この前側掘削刃を監視しながら、任意の時間に短時間で掘削刃交換作業を終えることができる。比較的、後側掘削刃は摩滅が低く、交換頻度は下がるものの簡便な複数のボルトによる固定方法のため短時間での掘削刃交換を可能とする。【０００９】また、作業従事者により、散見される片減摩滅の状態が、前側掘削刃と後側掘削刃に生じやすい、この両側掘削刃を監視しながら、任意で短時間に掘削刃交換作業を終えることができる。
【考案を実施するための最良の形態】
【実施例】
【００１０】以下、本考案の実施形態について図を参照して説明する。図１には、本考案に係る油圧ショベルＹに本考案、法面造成作業用バケットＸの全体側面が示されています。【００１１】また、図２には、油圧ショベルＹに本考案、法面造成作業用バケットによる土砂の掘削を後側掘削刃と前側掘削刃により実施している側面図です。【００１２】また、本考案、法面造成作業用バケットＸの実施形態につき、図を参照して説明する。図３には、本考案に係る法面造成作業用バケットＸの斜視図で示されており、前側懐部１からの斜視図を示すものであり、本考案の法面造成作業用バケットＸ前側掘削刃１１の取付け位置を示す斜視図とスケルトン鳥観図である。【００１３】また、図４には、本考案、法面造成作業用バケットＸの後側懐部２から見た、斜視図とスケルトン鳥観図を示すものであり、本考案の法面造成作業用バケットＸ後側掘削刃１２の取付け位置を示す。【００１４】本考案に係る前側掘削刃取付け構造であるが、図５により説明すると、法面造成作業用バケットの側面図に見て取れるように、前側懐部１底面の掘削刃及び後側懐部２底面の掘削刃は、バケット本体替刃支持部１０がバケット本体Ｘに溶接固定され、替刃型掘削刃１１及び１２はバケット本体替刃支持部１０にボルトにより取付けられ、固定された状態を示し、脱着を容易とする構造となっている。【００１５】前側掘削刃１１は図６で示すように、バケット本体Ｘにおいて、前側懐部１を正面から見ると、底面に装着された、バケット本体替刃支持部１０と、最底面に位置する前側掘削刃１１があり、図６下段では示すように、後側掘削刃１２を示し、平刃状の替刃型掘削刃１１及び１２と、それを支持固定するバケット本体替刃支持部１０の形状と支持部１０と前後掘削刃１１及び１２並びにボルト締め付け用孔２１を上面から見たものである。【００１６】掘削刃交換を容易としながら、法面造成作業用バケットの特徴である、バケット底面の平面化は維持し、斜面の凸凹を平面にするための、バケット底面を確保している。
【産業上の利用可能性】
【００１７】本考案における、法面造成作業用バケットの前側掘削刃及びと後側掘削刃の替刃構造は構造がシンプルであるため、経験不足の現場作業員にも掘削刃交換を容易に実施でき、安価なコストにより法面工事現場における、斜面の品質獲得、維持が確実に実現できる。
【図面の簡単な説明】
【００１８】
【図１】法面造成作業用バケットを収納時の油圧ショベルの側面図
【図２】法面造成作業用バケット使用時の油圧ショベルの側面図
【図３】本考案、法面造成作業用バケットの前側懐部からの斜視図
【図４】本考案、法面造成作業用バケットの後側懐部からの斜視図
【図５】本考案、法面造成作業用バケットの側面図及び掘削刃取付け構造図
【図６】本考案、前側掘削刃と後側掘削刃と本体支持部を示す平面図
【符号の説明】
【００１９】  Ｘ  法面造成作業用バケット本体
Ｙ  油圧ショベル本体
１  法面造成作業用バケットの前側懐部
２  法面造成作業用バケットの後側懐部
１０  バケット本体替刃支持部
１１  前側掘削刃
１２  後側掘削刃
２０  バケット本体替刃支持部ボルト取付け孔
２１  替刃型掘削刃部ボルト取付け孔
３０  油圧ショベル本体との接続部で作業機接続プレート部
【図１】
0003229034.tif 000003
【図２】
0003229034.tif 000004
【図３】
0003229034.tif 000005
【図４】
0003229034.tif 000006
【図５】
0003229034.tif 000007
【図６】
0003229034.tif 000008